(57)【要約】【課題】  高グリップ性と低燃費との両立を図ることができると共に、キャンバー角が制御不能となった場合に車両を安定した状態とすることが可能なキャンバー角調整装置を提供する。【解決手段】  アーム４１及び伝達部材４２から伝達されたアクチュエータ４ａの駆動力により回動部材４３が回動することで車輪２のキャンバー角を変更するキャンバー角調整装置において、伝達部材４２は、キャンバー角が制御不能となった場合に、車輪２の第２トレッド２２に比して、グリップ力の高い特性に構成される第１トレッド２１の接地面積が第２トレッド２２の接地面積より大きくなるようにキャンバー角を強制的に付与することを特徴とする。【選択図】図８
2009227203.tif 000002
【特許請求の範囲】
【請求項１】
車輪のキャンバー角を調整するキャンバー角調整装置において、
前記車輪は、第１トレッドと、その第１トレッドに対して幅方向に並設され車両の外側又は内側に配置される第２トレッドと、を備えると共に、前記第１トレッドと前記第２トレッドとが互いに異なる特性に構成され、前記第１トレッドは、前記第２トレッドに比して、グリップ力の高い特性に構成されると共に、前記第２トレッドは、前記第１トレッドに比して、転がり抵抗の小さい特性に構成され、
回転駆動力を発生するアクチュエータと、
前記アクチュエータの駆動力を伝達するアーム及び伝達部材と、
前記アーム及び前記伝達部材から伝達された前記アクチュエータの駆動力により回動することで前記車輪のキャンバー角を変更する回動部材と、
前記伝達部材は、前記キャンバー角が制御不能となった場合に、前記車輪の前記第１トレッドの接地面積が前記第２トレッドの接地面積より大きくなるようにキャンバー角を強制的に付与するキャンバー角強制付与手段と、
を備えたことを特徴とするキャンバー角調整機構。
【請求項２】
前記アクチュエータの出力部を形成する面は、キャンバー軸に対して垂直な関係であることを特徴とする請求項１に記載のキャンバー角調整機構。
【請求項３】
車体に連結されるベース部材を備え、
前記アクチュエータは前記ベース部材に設けられ、
前記ベース部材には、前記アームの回動角度を規制するストッパが設けられていることを特徴とする請求項１又は請求項２に記載のキャンバー角調整機構。
【発明の詳細な説明】
【技術分野】
【０００１】
本発明は、車輪のキャンバー角を調整するキャンバー角調整装置に関するものである。
【背景技術】
【０００２】
車輪のキャンバー角（タイヤ中心と地面とがなす角度）をマイナス方向で大きくとることで、タイヤの能力を十分に引き出して、旋回性能の向上を図る試みが行われている。これは、キャンバー角を例えば０°に設定していると、直進走行時にはトレッドが幅方向の全域で地面に接地するが、旋回時には遠心力による車両のロールにより内側のトレッドが地面から浮き上がり、十分な旋回性能を得られないからである。従って、マイナス方向のキャンバー角を予め付与しておくことで、旋回時にトレッドが地面へ幅広く接地でき、旋回性能の向上を図ることができる。
【０００３】
しかしながら、マイナス方向に大きなキャンバー角で車輪を車両に装着すると、タイヤの旋回性能は向上されるが、直進走行時に内側のトレッド端部における接地圧が高くなり、タイヤが偏磨耗して不経済であると共に、トレッド端部の温度が高温になるという問題点があった。
【０００４】
そこで、マイナス方向に大きなキャンバー角で車両に車輪を装着する場合に、タイヤの一方側のサイド部を他方側のサイド部より強く補強して剛性を大ならしめると共に、トレッドゴムを２分して、その一方側を他方側より硬度を低くする、或いはトレッド端部のトレッド厚みを厚くして、耐摩耗性、耐熱性及び高グリップ性を確保する技術が開示されている（特許文献１）。
【０００５】
また、車輪のキャンバー角をアクチュエータの駆動力によってアクティブ制御するサスペンションシステムが開示されている（特許文献２）。
【０００６】
【特許文献１】特開平２−１８５８０２号公報
【特許文献１】米国特許６，３４７，８０２号公報
【発明の開示】
【発明が解決しようとする課題】
【０００７】
しかしながら、前者の技術では、旋回時の高グリップ性を維持するという点では十分な性能を発揮し得るが、高グリップ性と低燃費（低転がり抵抗）との両立という点では不十分であるという問題点があった。また、上述した従来の技術では、高グリップ性は旋回時に限られるものであり、例えば、直進走行時の急加速・急制動時における高グリップ性の発揮が不十分であるという問題点があった。同様に、後者の技術では、高グリップ性と低燃費との両立という点では不十分であるという問題点があった。また、キャンバー角が制御不能となった場合の対策については何ら開示されていない。
【０００８】
本発明は上述した問題点を解決するためになされたものであり、高グリップ性と低燃費との両立を図ることができると共に、キャンバー角が制御不能となった場合に車両を安定した状態とすることが可能なキャンバー角調整装置を提供することを目的としている。
【課題を解決するための手段】
【０００９】
そのために本発明は、車輪のキャンバー角を調整するキャンバー角調整装置において、前記車輪は、第１トレッドと、その第１トレッドに対して幅方向に並設され車両の外側又は内側に配置される第２トレッドと、を備えると共に、前記第１トレッドと前記第２トレッドとが互いに異なる特性に構成され、前記第１トレッドは、前記第２トレッドに比して、グリップ力の高い特性に構成されると共に、前記第２トレッドは、前記第１トレッドに比して、転がり抵抗の小さい特性に構成され、回転駆動力を発生するアクチュエータと、前記アクチュエータの駆動力を伝達するアーム及び伝達部材と、前記アーム及び前記伝達部材から伝達された前記アクチュエータの駆動力により回動することで前記車輪のキャンバー角を変更する回動部材と、前記伝達部材は、前記キャンバー角が制御不能となった場合に、前記車輪の前記第１トレッドの接地面積が前記第２トレッドの接地面積より大きくなるようにキャンバー角を強制的に付与するキャンバー角強制付与手段と、を備えたことを特徴とする。
【００１０】
また、前記アクチュエータの出力部を形成する面は、キャンバー軸に対して垂直な関係であることを特徴とする。
【００１１】
また、車体に連結されるベース部材を備え、前記アクチュエータは前記ベース部材に設けられ、前記ベース部材には、前記アームの回動角度を規制するストッパが設けられていることを特徴とする。
【発明の効果】
【００１２】
請求項１記載の発明によれば、車輪のキャンバー角を調整するキャンバー角調整装置において、前記車輪は、第１トレッドと、その第１トレッドに対して幅方向に並設され車両の外側又は内側に配置される第２トレッドと、を備えると共に、前記第１トレッドと前記第２トレッドとが互いに異なる特性に構成され、前記第１トレッドは、前記第２トレッドに比して、グリップ力の高い特性に構成されると共に、前記第２トレッドは、前記第１トレッドに比して、転がり抵抗の小さい特性に構成され、回転駆動力を発生するアクチュエータと、前記アクチュエータの駆動力を伝達するアーム及び伝達部材と、前記アーム及び前記伝達部材から伝達された前記アクチュエータの駆動力により回動することで前記車輪のキャンバー角を変更する回動部材と、前記伝達部材は、前記キャンバー角が制御不能となった場合に、前記車輪の前記第１トレッドの接地面積が前記第２トレッドの接地面積より大きくなるようにキャンバー角を強制的に付与するキャンバー角強制付与手段と、を備えたので、通常走行時は高グリップ性と低燃費との両立を図ると共に、キャンバー角調整装置が故障し、キャンバー角が制御不能になった場合、高グリップ面を接地させることで車両を安定した状態とすることが可能となる。
【００１３】
また、請求項２記載の発明によれば、前記アクチュエータの出力部を形成する面は、キャンバー軸に対して垂直な関係であるので、アクチュエータの駆動力をさらに効率的に伝達することができる。
【００１４】
また、請求項３記載の発明によれば、車体に連結されるベース部材を備え、前記アクチュエータは前記ベース部材に設けられ、前記ベース部材には、前記アームの回動角度を規制するストッパが設けられているので、アクチュエータが故障等により誤作動したとしても、所定のキャンバー角内に維持し、走行安定性を維持することができる。
【発明を実施するための最良の形態】
【００１５】
以下、本発明の好ましい実施の形態について図面を参照して説明する。
【００１６】
以下、本発明の好ましい実施の形態について添付図面を参照して説明する。図１は、本発明の第１実施の形態における車両用制御装置１００が搭載される車両１を模式的に示した模式図である。なお、図１の矢印ＦＷＤは、車両１の前進方向を示す。
【００１７】
まず、車両１の概略構成について説明する。車両１は、図１に示すように、車体フレームＢＦと、その車体フレームＢＦに支持される複数（本実施の形態では４輪）の車輪２と、それら各車輪２を独立に回転駆動する車輪駆動装置３と、各車輪２のキャンバー角の調整等を行うキャンバー角調整装置４とを主に備え、車輪２のキャンバー角を車両用制御装置１００により制御して、車輪２に設けられた２種類のトレッドを使い分けることで（図５及び図６参照）、走行性能の向上と省燃費の達成とを図ることができるように構成されている。
【００１８】
次いで、各部の詳細構成について説明する。車輪２は、図１に示すように、車両１の進行方向前方側に位置する左右の前輪２ＦＬ，２ＦＲと、進行方向後方側に位置する左右の後輪２ＲＬ，２ＲＲとの４輪を備え、これら前後輪２ＦＬ〜２ＲＲは、車輪駆動装置３から回転駆動力を付与されて、それぞれ独立に回転可能に構成されている。
【００１９】
車輪駆動装置３は、各車輪２を独立に回転駆動するための回転駆動装置であり、図１に示すように、４個の電動アクチュエータ（ＦＬ〜ＲＲアクチュエータ３ＦＬ〜３ＲＲ）を各車輪２に（即ち、インホイールモータとして）配設して構成されている。運転者がアクセルペダル５２を操作した場合には、各車輪駆動装置３から回転駆動力が各車輪２に付与され、各車輪２がアクセルペダル５２の操作量に応じた回転速度で回転される。
【００２０】
また、車輪２（前後輪２ＦＬ〜２ＲＲ）は、キャンバー角調整装置４によりキャンバー角が調整可能に構成されている。キャンバー角調整装置４は、各車輪２のキャンバー角を調整するための駆動装置であり、図１に示すように、各車輪２に対応する位置に合計４個（ＦＬ〜ＲＲアクチュエータ４ＦＬ〜４ＲＲ）が配置されている。
【００２１】
また、キャンバー角調整装置４は、車両１の走行状態（例えば、定速走行時または加減速時、或いは、直進時または旋回時）や車輪２が走行する路面Ｇの状態（例えば、乾燥路面時と雨天路面時）などの状態変化に応じて、車両用制御装置１００により作動制御され、車輪２のキャンバー角を調整する。
【００２２】
ここで、図２を参照して、車輪駆動装置３とキャンバー角調整装置４との概略構成について説明する。図２は、車輪２の断面図である。
【００２３】
車輪２（前後輪２ＦＬ〜２ＲＲ）は、ゴム状弾性材から構成されるタイヤ２ａと、アルミニウム合金などから構成されるホイール２ｂとを主に備えて構成され、ホイール２ｂの内周部には、車輪駆動装置３（ＦＬ〜ＲＲモータ３ＦＬ〜３ＲＲ）がインホイールモータとして配設されている。
【００２４】
タイヤ２ａは、車両１の内側（図２右側）に配置される第１トレッド２１と、その第１トレッド２１と特性が異なり、車両１の外側（図２左側）に配置される第２トレッド２２とを備える。なお、車輪２（タイヤ２ａ）の詳細構成については図４を参照して後述する。
【００２５】
車輪駆動装置３は、図２に示すように、その前面側（図２左側）に突出された車輪駆動軸３ａがホイール２ｂに連結固定されており、車輪駆動軸３ａを介して、回転駆動力を車輪２へ伝達可能に構成されている。
【００２６】
キャンバー角調整装置４は、駆動アクチュエータ４ＦＬ、アーム４１、伝達部材４２回動部材４３を備えており、駆動アクチュエータ４ＦＬは車体フレームＢＦと連結されたベース部材に固定され、アーム４１を回転駆動させる。アーム４１は伝達部材４２に回動可能に連結され、伝達部材４２は回動部材４３に回動可能に連結されている。また、回動部材４３は、車輪駆動装置３に固定連結されている。
【００２７】
これにより、駆動アクチュエータ４ＦＬを回転駆動することで、車輪駆動装置３がキャンバー軸Ｃを揺動中心として揺動駆動され、その結果、各車輪２に所定のキャンバー角が付与される。
【００２８】
例えば、車輪２が中立位置（車両１の直進状態）にある状態で、駆動アクチュエータ４ＦＬが矢印Ａ方向に回転駆動されると、アーム４１、伝達部材４２回動部材４３が回動され、車輪駆動装置３がキャンバー軸Ｃ回りに回転され、車輪２にマイナス方向（ネガティブキャンバー）のキャンバー角が付与される。一方、これとは逆の方向に駆動アクチュエータ４ＦＬが回転駆動されると、車輪２にプラス方向（ポジティブキャンバー）のキャンバー角が付与される。
【００２９】
図１に戻って説明する。アクセルペダル５２及びブレーキペダル５３は、運転者により操作される操作部材であり、各ペダル５２，５３の踏み込み状態（踏み込み量、踏み込み速度など）に応じて、車両１の走行速度や制動力が決定され、車輪駆動装置３の作動制御が行われる。
【００３０】
ステアリング５４は、運転者により操作される操作部材であり、その操作状態（回転角度、回転速度など）に応じて、車両１の旋回半径などが決定され、キャンバー角調整装置４の作動制御が行われる。ワイパースイッチ５５は、運転者により操作される操作部材であり、その操作状態（操作位置など）に応じて、ワイパー（図示せず）の作動制御が行われる。
【００３１】
同様に、ウインカスイッチ５６及び高グリップスイッチ５７は、運転者により操作される操作部材であり、その操作状態（操作位置など）に応じて、前者の場合はウインカー（図示せず）の作動制御が行われ、後者の場合はキャンバー角調整装置４の作動制御が行われる。
【００３２】
なお、高グリップスイッチ５７がオンされた状態は、車輪２の特性として高グリップ性が選択された状態に対応し、高グリップスイッチ５７がオフされた状態は車輪２の特性として低転がり抵抗が選択された状態に対応する。
【００３３】
車両用制御装置１００は、上述のように構成された車両１の各部を制御するための車両用制御装置であり、例えば、各ペダル５２，５３の操作状態を検出し、その検出結果に応じて車輪駆動装置３を作動させることで、各車輪２の回転速度を制御する。
【００３４】
或いは、アクセルペダル５２、ブレーキペダル５３やステアリング５４の操作状態を検出し、その検出結果に応じてキャンバー角調整装置４を作動させ、各車輪のキャンバー角を調整することで、車輪２に設けられた２種類のトレッド２１，２２を使い分けて（図５及び図６参照）、走行性能の向上と省燃費の達成とを図る。ここで、図３を参照して、車両用制御装置１００の詳細構成について説明する。
【００３５】
図３は、車両用制御装置１００の電気的構成を示したブロック図である。車両用制御装置１００は、図３に示すように、ＣＰＵ７１、ＲＯＭ７２及びＲＡＭ７３を備え、これらはバスライン７４を介して入出力ポート７５に接続されている。また、入出力ポート７５には、車輪駆動装置３等の複数の装置が接続されている。
【００３６】
ＣＰＵ７１は、バスライン７４により接続された各部を制御する演算装置である。ＲＯＭ７２は、ＣＰＵ７１により実行される制御プログラムや固定値データ等を格納した書き換え不能な不揮発性のメモリであり、ＲＡＭ７３は、制御プログラムの実行時に各種のデータを書き換え可能に記憶するためのメモリである。なお、ＲＯＭ７２内には、図７に図示されるフローチャート（キャンバ制御処理）のプログラムが格納されている。
【００３７】
車輪駆動装置３は、上述したように、各車輪２（図１参照）を回転駆動するための装置であり、各車輪２に回転駆動力を付与する４個のＦＬ〜ＲＲモータ３ＦＬ〜３ＲＲと、それら各モータ３ＦＬ〜３ＲＲをＣＰＵ７１からの命令に基づいて駆動制御する駆動回路（図示せず）とを主に備えている。
【００３８】
キャンバー角調整装置４は、上述したように、各車輪２のキャンバー角を調整するための装置であり、各車輪２（車輪駆動装置３）に角度調整のための駆動力を付与する４個のＦＬ〜ＲＲ駆動アクチュエータ４ＦＬ〜４ＲＲと、それら各駆動アクチュエータ４ＦＬ〜４ＲＲをＣＰＵ７１からの命令に基づいて駆動制御する駆動回路（図示せず）とを主に備えている。
【００３９】
ＣＰＵ７１からの指示に基づいて、キャンバー角調整装置４の駆動回路が駆動アクチュエータ４ａを駆動制御すると、アーム４１、伝達部材４２及び回動部材４３が回動される。キャンバー角調整装置４の駆動回路は、各駆動アクチュエータ４ａの回転角を回転角センサにより監視し、ＣＰＵ７１から指示された目標値（伸縮量）に達した駆動アクチュエータ４ａは、その回転駆動が停止される。なお、回転角センサによる検出結果は、駆動回路からＣＰＵ７１に出力され、ＣＰＵ７１は、その検出結果に基づいて各車輪２の現在のキャンバー角を得ることができる。
【００４０】
車両速度センサ装置３２は、路面Ｇに対する車両１の対地速度（絶対値及び進行方向）を検出すると共に、その検出結果をＣＰＵ７１に出力するための装置であり、前後及び左右方向加速度センサ３２ａ，３２ｂと、それら各加速度センサ３２ａ，３２ｂの検出結果を処理してＣＰＵ７１に出力する制御回路（図示せず）とを主に備えている。
【００４１】
前後方向加速度センサ３２ａは、車両１（車体フレームＢＦ）の前後方向（図１上下方向）の加速度を検出するセンサであり、左右方向加速度センサ３２ｂは、車両１（車体フレームＢＦ）の左右方向（図１左右方向）の加速度を検出するセンサである。なお、本実施の形態では、これら各加速度センサ３２ａ，３２ｂが圧電素子を利用した圧電型センサとして構成されている。
【００４２】
ＣＰＵ７１は、車両速度センサ装置３２の制御回路から入力された各加速度センサ３２ａ，３２ｂの検出結果（加速度値）を時間積分して、２方向（前後及び左右方向）の速度をそれぞれ算出すると共に、それら２方向成分を合成することで、車両１の対地速度（絶対値及び進行方向）を得ることができる。
【００４３】
接地荷重センサ装置３４は、各車輪２の接地面が路面Ｇから受ける荷重を検出すると共に、その検出結果をＣＰＵ７１に出力するための装置であり、各車輪２が受ける荷重をそれぞれ検出するＦＬ〜ＲＲ荷重センサ３４ＦＬ〜３４ＲＲと、それら各荷重センサ３４ＦＬ〜３４ＲＲの検出結果を処理してＣＰＵ７１に出力する処理回路（図示せず）とを備えている。
【００４４】
なお、本実施の形態では、各荷重センサ３４ＦＬ〜３４ＲＲがピエゾ抵抗型の３軸荷重センサとして構成されている。これら各荷重センサ３４ＦＬ〜３４ＲＲは、各車輪２のサスペンション軸（図示せず）上に配設され、上述した車輪２が路面Ｇから受ける荷重を車両１の前後方向、左右方向及び上下方向の３方向で検出する。
【００４５】
ＣＰＵ７１は、接地荷重センサ装置３４から入力された各荷重センサ３４ＦＬ〜３４ＲＲの検出結果（接地荷重）より、各車輪２の接地面における路面Ｇの摩擦係数μを次のように推定する。
【００４６】
例えば、前輪２ＦＬに着目すると、ＦＬ荷重センサ３４ＦＬにより検出される車両１の前後方向、左右方向および垂直方向の荷重がそれぞれＦｘ、Ｆｙ及びＦｚであれば、前輪２ＦＬの接地面に対応する部分の路面Ｇにおける車両１前後方向の摩擦係数μは、前輪２ＦＬが路面Ｇに対してスリップしているスリップ状態ではＦｘ／Ｆｚとなり（μｘ＝Ｆｘ／Ｆｚ）、前輪２ＦＬが路面Ｇに対してスリップしていない非スリップ状態ではＦｘ／Ｆｚよりも大きい値であると推定される（μｘ＞Ｆｘ／Ｆｚ）。
【００４７】
なお、車両１の左右方向の摩擦係数μｙについても同様であり、スリップ状態ではμｙ＝Ｆｙ／Ｆｚとなり、非スリップ状態ではＦｙ／Ｆｚよりも大きな値と推定される。また、摩擦係数μを他の手法により検出することは当然可能である。他の手法としては、例えば、特開２００１−３１５６３３号公報や特開２００３−１１８５５４号に開示される公知の技術が例示される。
【００４８】
車輪回転速度センサ装置３５は、各車輪２の回転速度を検出すると共に、その検出結果をＣＰＵ７１に出力するための装置であり、各車輪２の回転速度をそれぞれ検出する４個のＦＬ〜ＲＲ回転速度センサ３５ＦＬ〜３５ＲＲと、それら各回転速度センサ３５ＦＬ〜３５ＲＲの検出結果を処理してＣＰＵ７１に出力する処理回路（図示せず）とを備えている。
【００４９】
なお、本実施の形態では、各回転センサ３５ＦＬ〜３５ＲＲが各車輪２に設けられ、各車輪２の角速度を回転速度として検出する。即ち、各回転センサ３５ＦＬ〜３５ＲＲは、各車輪２に連動して回転する回転体と、その回転体の周方向に多数形成された歯の有無を電磁的に検出するピックアップとを備えた電磁ピックアップ式のセンサとして構成されている。
【００５０】
ＣＰＵ７１は、車輪回転速度センサ装置３５から入力された各車輪２の回転速度と、予めＲＯＭ７２に記憶されている各車輪２の外径とから、各車輪２の実際の周速度をそれぞれ得ることができ、その周速度と車両１の走行速度（対地速度）とを比較することで、各車輪２がスリップしているか否かを判断することができる。
【００５１】
アクセルペダルセンサ装置５２ａは、アクセルペダル５２の操作状態を検出すると共に、その検出結果をＣＰＵ７１に出力するための装置であり、アクセルペダル５２の踏み込み状態を検出する角度センサ（図示せず）と、その角度センサの検出結果を処理してＣＰＵ７１に出力する制御回路（図示せず）とを主に備えている。
【００５２】
ブレーキペダルセンサ装置５３ａは、ブレーキペダル５３の操作状態を検出すると共に、その検出結果をＣＰＵ７１に出力するための装置であり、ブレーキペダル５３の踏み込み状態を検出する角度センサ（図示せず）と、その角度センサの検出結果を処理してＣＰＵ７１に出力する制御回路（図示せず）とを主に備えている。
【００５３】
ステアリングセンサ装置５４ａは、ステアリング５４の操作状態を検出すると共に、その検出結果をＣＰＵ７１に出力するための装置であり、ステアリング５４の操作状態を検出する角度センサ（図示せず）と、その角度センサの検出結果を処理してＣＰＵ７１に出力する制御回路（図示せず）とを主に備えている。
【００５４】
ワイパースイッチセンサ装置５５ａは、ワイパースイッチ５５の操作状態を検出すると共に、その検出結果をＣＰＵ７１に出力するための装置であり、ワイパースイッチ５５の操作状態（操作位置）を検出するポジショニングセンサ（図示せず）と、そのポジショニングセンサの検出結果を処理してＣＰＵ７１に出力する制御回路（図示せず）とを主に備えている。
【００５５】
ウィンカスイッチセンサ装置５６ａは、ウィンカスイッチ５６の操作状態を検出すると共に、その検出結果をＣＰＵ７１に出力するための装置であり、ウィンカスイッチ５６の操作状態（操作位置）を検出するポジショニングセンサ（図示せず）と、そのポジショニングセンサの検出結果を処理してＣＰＵ７１に出力する制御回路（図示せず）とを主に備えている。
【００５６】
高グリップスイッチセンサ装置５７ａは、高グリップスイッチ５７の操作状態を検出すると共に、その検出結果をＣＰＵ７１に出力するための装置であり、高グリップスイッチ５７の操作状態（操作位置）を検出するポジショニングセンサ（図示せず）と、そのポジショニングセンサの検出結果を処理してＣＰＵ７１に出力する制御回路（図示せず）とを主に備えている。
【００５７】
キャンバー角センサ装置６０は、各車輪２のキャンバー角を検出すると共に、その検出結果をＣＰＵ７１に出力するための装置であり、各車輪２のキャンバー角をそれぞれ検出する４個のＦＬ〜ＲＲキャンバー角センサ６０ＦＬ〜６０ＲＲと、それら各キャンバー角センサ６０ＦＬ〜６０ＲＲの検出結果を処理してＣＰＵ７１に出力する処理回路（図示せず）とを備えている。
【００５８】
なお、本実施の形態では、各角度センサが電気抵抗を利用した接触型のポテンショメータとして構成されている。ＣＰＵ７１は、各センサ装置５２ａ〜５４ａの制御回路から入力された検出結果により各ペダル５２，５３の踏み込み量及びステアリング５４の操作角を得ると共に、その検出結果を時間微分することにより、各ペダル５２，５３の踏み込み速度（操作速度）及びステアリング５４の回転速度（操作速度）を得ることができる。
【００５９】
図３に示す他の入出力装置３５としては、例えば、雨量を検出するための雨量センサや路面Ｇの状態を非接触で検出する光学センサなどが例示される。
【００６０】
次いで、図４から図６を参照して、車輪２の詳細構成について説明する。図４は、車両１の上面視を模式的に示した模式図である。図５及び図６は、車両１の正面視を模式的に図示した模式図であり、図５では、車輪２にネガティブキャンバーが付与された状態が図示され、図６では、車輪２にポジティブキャンバーが付与された状態が図示されている。
【００６１】
上述したように、車輪２は、第１トレッド２１及び第２トレッド２２の２種類のトレッドを備え、図４に示すように、各車輪２（前輪２ＦＬ，２ＦＲ及び後輪２ＲＬ，２ＲＲ）において、第１トレッド２１が車両１の内側に配置され、第２トレッド２２が車両１の外側に配置されている。
【００６２】
本実施の形態では、両トレッド２１，２２の幅寸法（図４左右方向寸法）が同一に構成されている。また、第１トレッド２１は、第２トレッド２２に比して、グリップ力の高い特性（高グリップ性）に構成される。一方、第２トレッド２２は、第１トレッド２１に比して、転がり抵抗の小さい特性（低転がり抵抗）に構成されている。なお、両トレッド２１，２２の幅寸法は必ずしも同一にする必要はない。
【００６３】
例えば、図５に示すように、キャンバー角調整装置４が作動制御され、車輪２のキャンバー角θＬ，θＲがマイナス方向（ネガティブキャンバー）に調整されると、車両１の内側に配置される第１トレッド２１の接地圧Ｒｉｎが増加されると共に、車両１の外側に配置される第２トレッド２２の接地圧Ｒｏｕｔが減少される。これにより、第１トレッド２１の高グリップ性を利用して、走行性能（例えば、旋回性能、加速性能、制動性能或いは雨天時の車両安定性など）の向上を図ることができる。
【００６４】
一方、図６に示すように、キャンバー各調整装置４が作動制御され、車輪２のキャンバー角θＬ，θＲがプラス方向（ポジティブキャンバー方向）に調整されると、車両１の内側に配置される第１トレッド２１の接地圧が減少されると共に、車両１の外側に配置される第２トレッド２２の接地圧が増加される。これにより、第２トレッド２２の低転がり抵抗を利用して、省燃費性能の向上を図ることができる。
【００６５】
次いで、図７を参照して、キャンバー制御処理について説明する。図７は、キャンバー制御処理を示すフローチャートである。この処理は、車両用制御装置１００の電源が投入されている間、ＣＰＵ７１によって繰り返し（例えば、０．２ｍｓ間隔で）実行される処理であり、車輪２に付与するキャンバー角を調整することで、上述した走行性能と省燃費性能との２つの性能の両立を図る。
【００６６】
ＣＰＵ７１は、キャンバー制御処理に関し、まず、ワイパースイッチ５５がオンされているか否か、即ち、フロントガラスのワイパーによる拭き取り動作が運転者により指示されているか否かを判断する（Ｓ１）。その結果、ワイパースイッチ５５がオンされていると判断される場合には（Ｓ１：Ｙｅｓ）、現在の天候が雨天であり、路面Ｇに水膜が形成されている可能性があると推定されるので、車輪２にネガティブキャンバーを付与して（Ｓ６）、このキャンバー制御処理を終了する。
【００６７】
これにより、第１トレッド２１の接地圧Ｒｉｎが増加されると共に第２トレッド２２の接地圧Ｒｏｕｔが減少されることで（図５参照）、第１トレッド２１の高グリップ性を利用して、雨天時の車両安定性の向上を図ることができる。
【００６８】
Ｓ１の処理において、ワイパースイッチ５５はオンされていないと判断される場合には（Ｓ１：Ｎｏ）、雨天ではなく、路面Ｇの状態は良好であると推定されるので、次いで、アクセルペダル５２の踏み込み量は所定値以上であるか否か、即ち、所定以上の加速（急加速）が運転者により指示されているか否かを判断する（Ｓ２）。
【００６９】
その結果、アクセルペダル５２の踏み込み量が所定値以上であると判断される場合には（Ｓ２：Ｙｅｓ）、急加速が運転者より指示されており、車輪２がスリップするおそれがあるので、車輪２にネガティブキャンバーを付与して（Ｓ６）、このキャンバー処理を終了する。
【００７０】
これにより、上述した場合と同様に、第１トレッド２１の接地圧Ｒｉｎが増加されると共に第２トレッド２２の接地圧Ｒｏｕｔが減少されることで（図５参照）、第１トレッド２１の高グリップ性を利用して、車輪２のスリップを防止することができ、車両１の加速性能の向上を図ることができる。
【００７１】
Ｓ２の処理において、アクセルペダル５２の踏み込み量が所定値に達していないと判断される場合には（Ｓ２：Ｎｏ）、急加速は指示されておらず、緩やかな加速又は定速走行であると推定されるので、次いで、ブレーキペダル５３の踏み込み量は所定値以上であるか否か、即ち、所定以上の制動（急制動）が運転者により指示されているか否かを判断する（Ｓ３）。
【００７２】
その結果、ブレーキペダル５３の踏み込み量が所定値以上であると判断される場合には（Ｓ３：Ｙｅｓ）、急制動が運転者より指示されており、車輪２がロックするおそれがあるので、車輪２にネガティブキャンバーを付与して（Ｓ６）、このキャンバー処理を終了する。
【００７３】
これにより、上述した場合と同様に、第１トレッド２１の接地圧Ｒｉｎが増加されると共に第２トレッド２２の接地圧Ｒｏｕｔが減少されることで（図５参照）、第１トレッド２１の高グリップ性を利用して、車輪２のロックを防止することができ、車両１の制動性能の向上を図ることができる。
【００７４】
Ｓ３の処理において、ブレーキペダル５３の踏み込み量が所定値に達していないと判断される場合には（Ｓ３：Ｎｏ）、急制動は指示されておらず、緩やかな制動か加速又は定速走行であると推定されるので、次いで、車両速度（対地速度）は所定値（例えば、時速１５ｋｍ）以下であるか否か、即ち、低速走行であるか否かを判断する（Ｓ１７）。
【００７５】
その結果、車両速度が所定値以下（即ち、低速走行中）であると判断される場合には（Ｓ１７：Ｙｅｓ）、車両速度が所定値を越えている場合と比較して、車両１がその後に減速し停車する可能性や加速する可能性も高いといえる。よって、これらの場合には車両１（車輪２）のグリップ力や停止力を予め確保しておく必要があるので、車輪２にネガティブキャンバーを付与して（Ｓ６）、このキャンバー処理を終了する。
【００７６】
これにより、上述した場合と同様に、第１トレッド２１の接地圧Ｒｉｎが増加されると共に第２トレッド２２の接地圧Ｒｏｕｔが減少されることで（図５参照）、第１トレッド２１の高グリップ性を利用して、車輪２のグリップ力を増加させることで、そのロックやスリップを防止して、車両１の制動性能や加速性能の向上を図ることができる。
【００７７】
また、車両１が停車した後は、第１トレッド２１の高グリップ性を利用して、車両１（車輪２）の停止力を確保することができるので、車両１を安定した状態で停車させておくことができる。更に、その停車後に再発進する場合には、予め第１トレッドの接地圧Ｒｉｎが増加されていることで、車輪２がスリップすることを防止して、車両１の再発進をスムーズ且つ高レスポンスで行うことができる。
【００７８】
Ｓ１７の処理において、車両速度が所定値よりも大きいと判断される場合には（Ｓ１７：Ｎｏ）、車両速度が低速ではなく、加減速の際の駆動力・制動力が比較的小さな値になると推定されるので、次いで、ウィンカスイッチ５６はオンであるか否か、即ち、右左折や車線変更を行う旨が運転者により指示されているか否かを判断する（Ｓ１８）。
【００７９】
その結果、ウィンカスイッチ５６がオンであると判断される場合には（Ｓ１８：Ｙｅｓ）、右左折や車線変更に伴って、車両１の旋回動作やその準備のための減速が行われる可能性が高いので、車輪２にネガティブキャンバーを付与して（Ｓ６）、このキャンバー処理を終了する。
【００８０】
これにより、上述した場合と同様に、第１トレッド２１の接地圧Ｒｉｎが増加されると共に第２トレッド２２の接地圧Ｒｏｕｔが減少されることで（図５参照）、第１トレッド２１の高グリップ性を利用して、車輪２のスリップを防止することができ、車両１の旋回性能の向上を図ることができる。
【００８１】
Ｓ１８の処理において、ウィンカスイッチ５６はオンされていないと判断される場合には（Ｓ１８：Ｎｏ）、右左折や車線変更に伴う車両１の旋回動作は行われないと推定されるので、次いで、高グリップスイッチ５７はオンであるか否か、即ち、車輪２の特性として高グリップ性を選択する旨が運転者により指示されているか否かを判断する（Ｓ１９）。
【００８２】
その結果、高グリップスイッチ５７がオンであると判断される場合には（Ｓ１９：Ｙｅｓ）、車輪２の特性として高グリップ性が選択されたということであるので、車輪２にネガティブキャンバーを付与して（Ｓ６）、このキャンバー処理を終了する。
【００８３】
これにより、上述した場合と同様に、第１トレッド２１の接地圧Ｒｉｎが増加されると共に第２トレッド２２の接地圧Ｒｏｕｔが減少されることで（図５参照）、第１トレッド２１の高グリップ性を利用して、車輪２のスリップを防止することができ、車両１の制動性能や加速性能、或いは旋回性能の向上を図ることができる。
【００８４】
Ｓ１９の処理において、高グリップスイッチ５７はオンされていないと判断される場合には（Ｓ１９：Ｎｏ）、次いで、ステアリング５４の操作角は所定値以上であるか否か、即ち、所定以上の旋回（急旋回）が運転者により指示されているか否かを判断する（Ｓ４）。
【００８５】
その結果、ステアリング５４の操作角が所定値以上であると判断される場合には（Ｓ４：Ｙｅｓ）、急旋回が運転者より指示されており、車輪２がスリップして、車両１がスピンするおそれがあるので、車輪２にネガティブキャンバーを付与して（Ｓ６）、このキャンバー処理を終了する。
【００８６】
これにより、上述した場合と同様に、第１トレッド２１の接地圧Ｒｉｎが増加されると共に第２トレッド２２の接地圧Ｒｏｕｔが減少されることで（図５参照）、第１トレッド２１の高グリップ性を利用して、車輪２のスリップ（車両１のスピン）を防止することができ、車両１の旋回性能の向上を図ることができる。
【００８７】
一方、Ｓ４の処理において、ステアリング５４の操作角が所定値に達していないと判断される場合には（Ｓ４：Ｎｏ）、急旋回は指示されておらず、緩やかな旋回又は直進走行であり、また、Ｓ１からＳ３の処理より、路面状態は良好であり、急加速や急制動も指示されていないと推定される（Ｓ１：Ｎｏ、Ｓ２：Ｎｏ、Ｓ３：Ｎｏ）。
【００８８】
よって、この場合には（Ｓ１：Ｎｏ、Ｓ２：Ｎｏ、Ｓ３：Ｎｏ、Ｓ４：Ｎｏ）、車輪２の性能として高グリップ性を得る必要はなく、低転がり抵抗による省燃費性能を得ることが好ましいと判断できるので、車輪２にポジティブキャンバーを付与して（Ｓ５）、このキャンバー処理を終了する。
【００８９】
これにより、第１トレッド２１の接地圧Ｒｉｎが減少されると共に第２トレッド２２の接地圧Ｒｏｕｔが増加されることで（図６参照）、第２トレッド２１の低転がり抵抗を利用して、車輪２の転がり効率を向上させることができ、車両１の省燃費性能の向上を図ることができる。
【００９０】
このように、本実施の形態によれば、キャンバー角調整装置４により車輪２のキャンバー角θＲ，θＬを調整して、第１トレッド２１における接地圧Ｒｉｎと第２トレッド２２における接地圧Ｒｏｕｔとの比率を変更することで、加速性能及び制動性能と省燃費性能との互いに背反する２つの性能の両立を図ることができる。
【００９１】
次に、キャンバー角調整機構を左後輪２ＲＬに適用した実施形態について説明する。図８はキャンバー角調整機構の前上方から見た斜視図、図９はキャンバー角調整機構の後上方から見た斜視図を示す。
【００９２】
なお、前後とは、車両の前後方向に対応しており、図中の矢印Ｆを前方とする。また、車幅方向とは、車両の前後方向に直交する方向とする（以下同じ。）。
【００９３】
図８及び図９において、４はキャンバー角調整機構、４ＲＬはアクチュエータ、４１はアーム、４２は伝達部材、４３は回動部材、４４はネガティブストッパ、１１はベース部材、１２はトーションビーム、２は車輪、４５は第１連結部、４６は第２連結部である。
【００９４】
本実施形態のキャンバー角調整機構４は、図示しない車体と車輪２とを連結する部分に設けられ、車輪２のキャンバー角を変更するための装置である。
【００９５】
キャンバー角調整機構４は、車体に連結される支持部材としてのサスペンションやトーションビーム１２等により、車体又は支持部材に連結されるベース部材１１と、駆動力を発生するアクチュエータ４ＲＬと、アクチュエータ４ＲＬの駆動力を伝達するアーム４１及び伝達部材４２と、アーム４１及び伝達部材４２から伝達されたアクチュエータ４ＲＬの駆動力によりベース部材１１に対してキャンバー軸Ｃを中心として回動する回動部材４３とを有する。
【００９６】
ベース部材１１は、車体に対して揺動するトーションビーム１２に固定され、アクチュエータ４ＲＬの本体４ａを支持するアクチュエータ支持部１１ａと、キャンバー軸Ｃに対応し、回動部材４３を回動するように支持する回動部材支持部１１ｃとを有する。
【００９７】
アクチュエータ４ＲＬは、平面状、例えば、平面円環状の図示しない出力部を有する。
【００９８】
アーム４１は、アクチュエータ４ＲＬの図示しない平面円環状の出力部に結合されるロータリープレート部４１ａと、第１連結部４５を介して伝達部材４２に連結されるアーム部４１ｂとを有する。
【００９９】
伝達部材４２は、一方で第１連結部４５を介してアーム４１と回動するように連結され、他方で第２連結部４６を介して回動部材４３と回動するように連結され、アクチュエータ４ＲＬの駆動力を回動部材４３に伝達するものである。伝達部材４２には、緊急用キャンバー角強制付与手段としての緊急用アクチュエータ４２ａが設けられている。なお、第１連結部４５及び第２連結部４６は、ボールベアリング等を用いるのが好ましい。
【０１００】
回動部材４３は、ハブ３ｂ等を介して車輪２を回転可能に支持し、キャンバー軸Ｃを中心としてベース部材１１に対して回動可能なものである。
【０１０１】
ネガティブストッパ６は、ネガティブキャンバーに車輪２を調整する際の移動を制限するものである。
【０１０２】
図８に示すように、アクチュエータ４ＲＬの出力部を形成する面は、キャンバー軸Ｃに対して垂直な関係であると好ましい。また、キャンバー軸Ｃ、アクチュエータ軸Ａ、及び第１連結部材４５及び第２連結部材４６とは、それぞれ略平行の関係にあると好ましい。
【０１０３】
図１０は、キャンバー角を変更した場合の車体前方から見た作動概略図を示す。図１０（ａ）は、アクチュエータ４ＲＬを作動させない状態を示し、図１０（ｂ）は、アクチュエータ４ＲＬを作動させ、ネガティブキャンバーとした状態を示し、図１０（ｃ）は、アクチュエータ４ＲＬを作動させ、ポジティブキャンバーとした状態を示している。
【０１０４】
図１０（ａ）に示すように、アクチュエータ４ＲＬを作動させない状態では、アライメント初期設定状態、本実施形態では、例えば、キャンバー角０°に設定した状態とする。
【０１０５】
また、図１０（ｂ）に示すように、アクチュエータ４ＲＬを作動すると、アーム４１が矢印Ａｎのように反時計方向に回動する。すると、アーム４１に引かれて、伝達部材４２が、第１連結部４５を中心にアーム４１と相対的に回動しながら、矢印ｎ１の方向（紙面左、車体側）に移動する。
【０１０６】
回動部材４３は、伝達部材４２に引かれて、第２連結部４５を中心に伝達部材４２と相対的に回動しながら、矢印ｎ２の方向に、キャンバー軸Ｃを中心に車体側に回動する。これに伴い、車輪２のキャンバー角が変更してネガティブキャンバーとなる。
【０１０７】
この状態からアクチュエータ４ＲＬの回動が続くと、図１１に示すように、ベース部材１１のアクチュエータ支持部１１ａに設けたネガティブストッパ部６がアーム４１に当接し、アーム４１の移動、すなわちキャンバー角が規制される。
【０１０８】
また、図１０（ｃ）に示すように、アクチュエータ４ＲＬを作動すると、アーム４１が矢印Ａｐのように時計方向に回動する。すると、アーム４１に引かれて、伝達部材４２が、第１連結部４５を中心にアーム４１と相対的に回動しながら、矢印ｐ１の方向（紙面右、車輪側）に移動する。
【０１０９】
回動部材４３は、伝達部材４２に押されて、第２連結部４６を中心に伝達部材４２と相対的に回動しながら、矢印ｐ２の方向に、キャンバー軸Ｃを中心に車輪側に回動する。これに伴い、車輪２のキャンバー角が変更してポジティブキャンバーとなる。
【０１１０】
次に、キャンバー角調整機構４が故障等で制御不能となった場合のフェール時制御について説明する。図１２はフェール時制御のフローチャート図である。
【０１１１】
まず、キャンバー角検知手段６０によりキャンバー角の実値を取得する（Ｓ２１）。次に、キャンバー角の指令値と実値が等しいか否かを判断する（ＳＴ２２）。
【０１１２】
Ｓ２２の処理において、キャンバー角の指令値と実値が等しいと判断した場合、キャンバー角調整機構４が故障等はしておらず制御可能と判断し、フェール時制御を終了する。ステップ２の処理において、キャンバー角の指令値と実値が等しくないと判断した場合、故障等によりキャンバー角調整機構４が制御不能と判断し、次のステップに進む。
【０１１３】
次のステップでは、接地しているのが車輪２の高グリップ側の第１トレッド２１か低グリップ側の第２トレッド２２かを判断する（Ｓ２３）。Ｓ２３の処理において、接地しているのが車輪２の高グリップ側の第１トレッド２１であると判断した場合、警告ランプを点灯させる（Ｓ２４）。
【０１１４】
Ｓ２３の処理において、接地しているのが車輪２の低グリップ側の第２トレッド２２であると判断した場合、緊急用アクチュエータ４２ａを作動させ、車輪２の高グリップ側の第１トレッド２１を接地させる（Ｓ２５）。続いて、警告ランプを点灯させ（Ｓ２６）、フェール時制御を終了する。
【０１１５】
図１３及び図１４は、緊急用アクチュエータ４２ａを作動させた状態を示す図である。本実施形態では、車輪２の高グリップ側の第１トレッド２１が車両側にあるため、緊急時に緊急用アクチュエータ４２ａを作動させ、伝達部材４２の長さを縮小するように構成する。キャンバー角調整機構４が制御不能と判断された場合には、図１３（ａ）に示すように、ポジティブキャンバーで走行している場合であっても、
図１３（ｂ）に示すように、緊急用アクチュエータ４２ａを作動させ、伝達部材４２の長さを縮小し、ネガティブキャンバーに変更する。
【０１１６】
また、車輪２の高グリップ側の第１トレッド２１が車両と反対側にある場合には、図１４（ａ）に示すように、ネガティブキャンバーで走行している場合であっても、
図１４（ｂ）に示すように、緊急用アクチュエータ４２ａを作動させ、伝達部材４２の長さを伸張し、ポジティブキャンバーに変更する。
【０１１７】
なお、緊急用キャンバー角強制付与手段としては、ソレノイド等の電磁アクチュエータや火薬式伸張手段等の瞬時に作動するものを適用するとよい。
【０１１８】
このように、車輪２のキャンバー角を調整するキャンバー角調整装置４において、前記車輪は、第１トレッド２１と、その第１トレッド２１に対して幅方向に並設され車両１の外側又は内側に配置される第２トレッド２２と、を備えると共に、第１トレッド２１と第２トレッド２２とが互いに異なる特性に構成され、第１トレッド２１は、第２トレッド２２に比して、グリップ力の高い特性に構成されると共に、第２トレッド２２は、第１トレッド２１に比して、転がり抵抗の小さい特性に構成され、回転駆動力を発生するアクチュエータ４ａと、アクチュエータ４ａの駆動力を伝達するアーム４１及び伝達部材４２と、アーム４１及び伝達部材４２から伝達されたアクチュエータ４ａの駆動力により回動することで車輪２のキャンバー角を変更する回動部材４３と、伝達部材４２は、キャンバー角が制御不能となった場合に、車輪２の第１トレッド２１の接地面積が第２トレッド２２の接地面積より大きくなるようにキャンバー角を強制的に付与する緊急用アクチュエータ４２ａと、を備えたので、通常走行時は高グリップ性と低燃費との両立を図ると共に、キャンバー角調整装置４が故障し、キャンバー角が制御不能になった場合、高グリップ面を接地させることで車両を安定した状態とすることが可能となる。
【０１１９】
また、アクチュエータ２の出力部を形成する面は、キャンバ軸Ｃに対して垂直な関係であるので、アクチュエータ２の駆動力をさらに効率的に伝達することができる。
【０１２０】
また、車体に連結されるベース部材１１を備え、アクチュエータ２はベース部材１１に設けられ、ベース部材２０には、アーム３の回動角度を規制するストッパ６，７が設けられているので、アクチュエータ２が故障等により誤作動したとしても、所定のキャンバ角内に維持し、走行安定性を維持することができる。
【図面の簡単な説明】
【０１２１】
【図１】本発明の第１実施の形態における車両用制御装置が搭載される車両を模式的に示した模式図である。
【図２】（ａ）は車輪の断面図であり、（ｂ）は車輪の舵角及びキャンバー角の調整方法を模式的に説明する模式図である。
【図３】車両用制御装置の電気的構成を示したブロック図である。
【図４】車両の上面視を模式的に示した模式図である。
【図５】車両の正面視を模式的に図示した模式図であり、車輪にネガティブキャンバーが付与された状態である。
【図６】車両の正面視を模式的に図示した模式図であり、車輪にポジティブキャンバーが付与された状態である。
【図７】キャンバー制御処理を示すフローチャートである。
【図８】キャンバー角調整機構の前上方から見た斜視図である。
【図９】キャンバー角調整機構の後上方から見た斜視図である。
【図１０】キャンバー角を変更した場合の車体前方から見た作動概略図である。
【図１１】ストッパ部を示す図である。
【図１２】フェール時制御のフローチャート図である。
【図１３】緊急用アクチュエータを作動させた状態を示す図である。
【図１４】緊急用アクチュエータを作動させた状態を示す図である。
【符号の説明】
【０１２２】
１００…車両用制御装置、１…車両、２…車輪、２ＦＬ…前輪（車輪、左車輪）、２ＦＲ…前輪（車輪、右車輪）、２ＲＬ…後輪（車輪、左車輪）、２ＲＲ…後輪（車輪、右車輪）、２１…第１トレッド、２２…第２トレッド、４…キャンバー角調整装置、４ａ…駆動アクチュエータ（キャンバー角調整装置）、４２ａ…緊急用アクチュエータ（緊急用キャンバー角強制付与手段）
【図１】
2009227203.tif 000003
【図２】
2009227203.tif 000004
【図３】
2009227203.tif 000005
【図４】
2009227203.tif 000006
【図５】
2009227203.tif 000007
【図６】
2009227203.tif 000008
【図７】
2009227203.tif 000009
【図８】
2009227203.tif 000010
【図９】
2009227203.tif 000011
【図１０】
2009227203.tif 000012
【図１１】
2009227203.tif 000013
【図１２】
2009227203.tif 000014
【図１３】
2009227203.tif 000015
【図１４】
2009227203.tif 000016